(57)【要約】【課題】  一つのファイルでも、例えば種類の異なる複数組のシート群を明確に区切ってファイリングできる新規なシート用ファイルを提供する。【解決手段】  本発明のシート用ファイル１は、ファイル基材２１にポケット部正面板２２を縁接合して成るポケット部２に、複数枚のシートＳを重ねた状態で収容するようにしたものであり、ポケット部正面板２２は、正面から視てファイル基材２１よりも小さいサイズに形成され、ファイル基材２１よりも小さいポケット部２を形成し、またファイル基材２１においてポケット部２が存在しない部位に、ポケット部２に収容したシートＳの一部を保持する保持部３を設け、更にファイル基材２１においてポケット部２及び保持部３が存在しない部位に、ポケット部２に収容したシートＳ側に突出するフラップ状のしおり４を設けたことを特徴とする。【選択図】図１
2018176511.tif 000002
【特許請求の範囲】
【請求項１】
ファイル基材にポケット部正面板を縁接合して成るポケット部に、複数枚のシートを重ねた状態で収容するようにしたシート用ファイルにおいて、
前記ポケット部正面板は、正面から視てファイル基材よりも小さいサイズに形成され、ポケット部がファイル基材よりも小さく形成されるものであり、
またファイル基材においてポケット部が存在しない部位に、ポケット部に収容したシートの一部を保持する保持部を設け、
更に、ファイル基材においてポケット部及び保持部が存在しない部位に、ポケット部に収容したシート側に突出するフラップ状のしおりを設ける構成であることを特徴とするシート用ファイル。
【請求項２】
前記ポケット部正面板は、シートを受け入れる開口縁が傾斜した直線状に形成され、この開口縁に対向するファイル基材のコーナ部に、前記保持部が設けられ、
且つ残余のコーナ部付近に前記しおりが設けられることを特徴とする請求項１記載のシート用ファイル。
【請求項３】
前記しおりは、前記保持部が存在しないファイル基材の左辺または右辺において複数枚、設けられることを特徴とする請求項１または２記載のシート用ファイル。
【請求項４】
前記ポケット部を形成するためのポケット部正面板と、保持部を形成するための保持部正面板と、しおりを形成するためのしおり形成板とは、各々がファイル基材とつながった一枚のブランク板材から折り曲げて形成されることを特徴とする請求項１から３のいずれか１項記載のシート用ファイル。
【請求項５】
前記ファイル基材とポケット部正面板との縁接合及びファイル基材と保持部正面板との縁接合は、開口縁を除いてステッチ縫製されることを特徴とする請求項４記載のシート用ファイル。
【発明の詳細な説明】
【技術分野】
【０００１】
本発明は、例えば一つのファイルを用いながらも、種類や項目あるいは内容等が異なる複数組のシート（書類）が混入しないように、種類や項目あるいは内容毎によって、別々に収容・保管できるようにしたファイルに関するものであって、特にクリップや付箋等を用いることなく、確実に区分け（グループ分け）できるようにした新規なシート用ファイルに関するものである。
【背景技術】
【０００２】
複数の書類（シート）を種類や項目あるいは内容毎に別々に保管できるようにしたものとしてファイルが知られている（例えば特許文献１参照）。とりわけクリアファイルと称されるファイルが極めて一般的であり、事業所や家庭内においても日常的に使用されている。
このようなクリアファイルＦの一般的な構造は、一例として図５に示すように、矩形状に形成された合成樹脂製シートＷを、長手方向のほぼ中央で折り曲げて、二枚のシート（これを表面シートＷ１と背面シートＷ２とする）を重ね合わせるように折り返し、折り返し縁に隣接する二枚のシートの一辺（ここでは下側の辺）を溶着加工などによって縁接合し、表面シートＷ１と背面シートＷ２をポケット状に形成するものであり、この間に書類（シート）を収容できるようにした構造が一般的である。
なお、重ね合わせた表面シートＷ１または背面シートＷ２のいずれか一方に、タグ状のインデックスＩが外方に張り出し形成されることがあり、ここに収容する書類（シート）の内容（種類や名称等）を記載しておけば、複数のクリアファイルＦを鞄等に一緒に入れても、インデックスＩによって目的のクリアファイルＦだけを素早く取り出すことができる。
【０００３】
このように、通常のファイルでは、一つのファイル（クリアファイルＦ）に同じ種類や項目の書類を一種類のみ収容するのが基本的な使い方であって、複数種の書類を分類して整理したい場合には、各種類毎に別々のファイルを用意し、収容するのが一般的であった。もちろん、業務上の都合や用意しているクリアファイルＦの数等によっては、一つのクリアファイルＦに複数種の書類をまとめて収容しなければならないこともあり、その場合には複数枚の書類を一種類ずつクリップで止めたり、種類が変わる書類の筆頭頁に付箋を張るなどして、種類の区切りを明確にしてファイリングすることが行われていた。
しかしながら、クリップや付箋は、書類を取り出す際に引っ掛かり、書類を損傷してしまう恐れがあり、また書類を出す際に他の書類に付けたクリップや付箋が外れてしまい、最終的にどこが種類の区切れか分からなくなってしまう場合もあった。
【先行技術文献】
【特許文献】
【０００４】
【特許文献１】特開２０１４−１８０８４２号公報
【発明の概要】
【発明が解決しようとする課題】
【０００５】
本発明は、このような背景を認識してなされたものであって、一つのファイルを用いても例えば種類の異なる複数組のシート群を明確に区切ってファイリングできるようにした新規なシート用ファイルの開発を試みたものである。
【課題を解決するための手段】
【０００６】
すなわち請求項１記載のシート用ファイルは、
ファイル基材にポケット部正面板を縁接合して成るポケット部に、複数枚のシートを重ねた状態で収容するようにしたシート用ファイルにおいて、
前記ポケット部正面板は、正面から視てファイル基材よりも小さいサイズに形成され、ポケット部がファイル基材よりも小さく形成されるものであり、
またファイル基材においてポケット部が存在しない部位に、ポケット部に収容したシートの一部を保持する保持部を設け、
更に、ファイル基材においてポケット部及び保持部が存在しない部位に、ポケット部に収容したシート側に突出するフラップ状のしおりを設ける構成であることを特徴として成るものである。
【０００７】
また請求項２記載のシート用ファイルは、前記請求項１記載の要件に加え、
前記ポケット部正面板は、シートを受け入れる開口縁が傾斜した直線状に形成され、この開口縁に対向するファイル基材のコーナ部に、前記保持部が設けられ、
且つ残余のコーナ部付近に前記しおりが設けられることを特徴として成るものである。
【０００８】
また請求項３記載のシート用ファイルは、前記請求項１または２記載の要件に加え、
前記しおりは、前記保持部が存在しないファイル基材の左辺または右辺において複数枚、設けられることを特徴として成るものである。
【０００９】
また請求項４記載のシート用ファイルは、前記請求項１から３のいずれか１項記載の要件に加え、
前記ポケット部を形成するためのポケット部正面板と、保持部を形成するための保持部正面板と、しおりを形成するためのしおり形成板とは、各々がファイル基材とつながった一枚のブランク板材から折り曲げて形成されることを特徴として成るものである。
【００１０】
また請求項５記載のシート用ファイルは、前記請求項４記載の要件に加え、
前記ファイル基材とポケット部正面板との縁接合及びファイル基材と保持部正面板との縁接合は、開口縁を除いてステッチ縫製されることを特徴として成るものである。
【発明の効果】
【００１１】
これら各請求項記載の発明の構成を手段として前記課題の解決が図られる。
すなわち、請求項１記載の発明によれば、ポケット部がファイル基材より小さく形成されるものの、シートは、ポケット部に収容された状態で他の部位が保持部によって保持されるため、確実にシートを収容することができる。従って、シートを収容したシート用ファイルを、例えば鞄等に入れて運搬しても、シートがシート用ファイルから抜け出てしまうことがないものである。
また、本発明では、ポケット部や保持部以外の部位にしおりが設けられるため、例えば一つのシート用ファイルに、種類の異なる幾つかのシート群（書類群）を収容する場合、その境目にしおりを挟むことで、特にクリップや付箋などを用いなくても、シート群の区切りを明確に維持することができる。
【００１２】
また、請求項２記載の発明によれば、ポケット部においてシートを受け入れる開口縁が傾斜した直線状に形成されるためシートが収容し易くなる。
また、これ（傾斜したポケット部の開口縁）に対向するコーナ部に保持部が設けられ、且つ残余のコーナ部付近にしおりが設けられるため、ポケット部（開口縁）に対する保持部としおりの位置関係を明確なものとする。
【００１３】
また、請求項３記載の発明によれば、しおりが複数枚設けられるため、例えば種類が異なった三種以上のシート群でも、しおりで区切って（種類が異なる部分にしおりを挟むことで）確実にシートを種類毎に分けて保管することができる。もちろん、収容するシートとしては全て同じ書面であっても構わず、その場合には、シートを一定の枚数ずつ区切るように、しおりを挟むという使い方もできる。
【００１４】
また、請求項４記載の発明によれば、ポケット部正面板、保持部正面板、しおり形成板は、各々がファイル基材とつながった一枚のブランク板材から形成されるため、各部の素材が同一となり、完成品であるシート用ファイルとして統一感が得られる。また、ポケット部正面板と保持部正面板とには開口縁以外を縁接合する必要があるが、折り返し部分は、もともとファイル基材とつながっているため、当該部位には必ずしも縁接合を施す必要がなく、後工程で行う縁接合を減らすことができる（接合工程の軽減化）。
【００１５】
また、請求項５記載の発明によれば、ポケット部正面板と保持部正面板とに施す縁接合が、縫い目（針目）を外観目視させるステッチ縫製であるため、例えばステッチ用の糸として、ファイル基材の色と対照的な色の糸を選択すれば、縫製後のステッチがシート用ファイルの縁飾りとして充分なアクセントになり、シート用ファイルの印象を全体的の際立たせることができる（高級感を演出することができる）。
【図面の簡単な説明】
【００１６】
【図１】本発明のシート用ファイルを示す説明図（ａ）、並びにしおり部分を拡大して示す斜視図（ｂ）、並びに種類の異なる複数のシート群（書類群）を、しおりを使って種類毎に区切ってファイルする様子を模式的に示す断面図（図（ａ）におけるＡ−Ａ線断面図）（ｃ）、並びに保持部の他の実施例を部分的に示す説明図（ｄ）である。
【図２】ファイル基材、ポケット部正面板、保持部正面板、しおりを同一のブランク板材で形成し、ポケット部正面板、保持部正面板、しおりをファイル基材に対して折り返して、各々ポケット部、保持部、しおりを形成するようにしたシート用ファイルを示す説明図である。
【図３】ファイル基材と別体で形成したポケット部正面板及び保持部正面板を、ファイル基材に縁接合するようにしたシート用ファイルを示す斜視図である。
【図４】ファイル基材を部分的に切り込んでしおりを形成するようにしたシート用ファイルを示す説明図である。
【図５】従来のファイル（クリアファイル）の一例を示す説明図である。
【発明を実施するための形態】
【００１７】
本発明を実施するための最良の形態は、以下の実施例に述べるものをその一つとするとともに、更にその技術思想内において改良し得る種々の手法を含むものである。
【実施例】
【００１８】
本発明のシート用ファイル１は、一例として図１に示すように、シート（書類）Ｓを収容するポケット部２と、ポケット部２に収容したシートＳの露出部を一部保持する保持部３と、ポケット部２に収容したシートＳの露出部の間に挟むしおり４とを具えて成る。なお、しおり４は、例えばシートＳの種類や内容等が変わる部分に挟み込むものであり、ここでは一例として四枚のしおり４が設けられる。ここで四枚のしおり４を、各々別々に示す場合には、ポケット部２から最も離反した上側（天側）のしおり４から順次４１〜４４の符号を付す。すなわち天側から下側（地側）に向かうしおり４について、順次「４１」、「４２」、「４３」、「４４」の符号を付す。
因みに、ここでは上記のように、種類や内容等が異なる複数組のシート（書類）を想定しており、一枚または複数枚の紙面から成る一組のシート（書類）を「シート群」と称することがある。
【００１９】
以下、本明細書に記載する方向について図１に基づき定義しておく。
まず、ポケット部２に収容するシートＳにおける上側を「天側」とし、下側を「地側」とする。一方、シートＳの紙面に対し適宜の間隔を隔てて上空となる方向を「上方」とし、その対向側を「下方」とする。また、シートＳやファイル用シート１の左右については、ファイル用シート１を正面から視た状態で「左」、「右」とする。
【００２０】
なおシートＳは、例えば紙面の地側１／３〜１／４程度がポケット部２に収容されるとともに、それ以外の天側が外部目視できるようにファイリングされ、この露出した紙面の一部（ここでは右コーナ部）が保持部３に差し込み状に保持される。
また、ポケット部２に収容したシートＳの露出部には、保持部３以外の部位（ここでは左辺天側）で、しおり４が挟まれる構成となっている。
以下、シート用ファイル１を構成するポケット部２、保持部３、しおり４について更に詳細に説明する。
【００２１】
まずポケット部２について説明する。
ポケット部２は、一例として図１・図２に示すように、矩形状のファイル基材２１をベースとし、このものにほぼ台形状のポケット部正面板２２を重ね合わせ、開口縁２２１以外を縁接合して成るものである。このため、ファイル基材２１がポケット背面を形成し、ポケット部正面板２２がポケット正面を形成する。
ファイル基材２１は、正面視、ポケット部２に収容されるシートＳとほぼ同じ大きさの矩形状（厳密にはシートＳよりも一回り大きな矩形状）に形成され、例えばＡ４サイズ、Ｂ５サイズと称される大きさが一般的である。
【００２２】
またポケット部正面板２２は、上記ファイル基材２１と双方の下端縁（地側端縁）を合致させるように重ねられる。より詳細には、ポケット部正面板２２は、ファイル基材２１とほぼ同じ横幅寸法を有しながらも、ファイル基材２１よりも小さいほぼ台形板状に形成される。すなわち、本実施例ではポケット部正面板２２の上辺２２１（上記開口縁と同じであり、同じ符号「２２１」を付す）が斜辺として形成され、これ以外の三辺（三縁）がファイル基材２１の辺（縁）とほぼ重なるように形成されるものであり、この三辺に縁接合が施され、上辺２２１が開口したポケット部２が構成される。もちろん、ポケット部２にシートＳを収容する際には、この上辺２２１からシートＳを挿入するものである。
なお、ポケット部正面板２２の上辺２２１（つまりポケット部２の開口）は、必ずしも傾斜させる必要はなく、水平な直線として形成することが可能であるし、更には必ずしも直線状（傾斜した直線または水平な直線）に形成する必要はなく、曲線状に形成することも可能である。
このようにポケット部２は、ファイル基材２１よりも小さく形成され、特にここではファイル基材２１の半分以下の地側に形成される。またこのため、ポケット部２にシートＳを収容した場合には、紙面の半分以上（天側）が露出し、目的のシートＳを取り出す場合、紙面に記載された文字や図あるいは絵等が目視（確認）し易いように考慮される。
【００２３】
次に、保持部３について説明する。
ポケット部２に収容されたシートＳは、上述したように紙面天側が露出した状態となるため、保持部３は、シートＳの露出部（天側）がめくれ上がらないように、シートＳ（露出部分）を一部保持する作用を担う。
なお、本実施例では、保持部３は、傾斜直線として形成されたポケット部正面板２２の上辺２２１に対向する右コーナ部に設けられ、シートＳの右隅を保持するように形成される。
【００２４】
保持部３は、一例として図１（ａ）・図２に示すように、正面から視て、三角板状（直角二等辺三角形の板状）の保持部正面板３１を、ファイル基材２１の右コーナ部に重ね合わせた状態で、天側と右側の二縁をファイル基材２１と縁接合することにより形成される。そして、保持部正面板３１の残った傾斜縁（ここを開口縁３１１とする）からシートＳの右隅を差し込み状に受け入れ、シートＳのめくれを防止するものである。
このように本実施例では、ポケット部２（ポケット部正面板２２）の開口縁２２１と、保持部正面板３１の開口縁３１１とを対向させ、ポケット部２に収容されたシートＳの天側を保持部３で保持するものであり、これによりポケット部２に収容されたシートＳは、より確実に保持される。従って、例えばシート用ファイル１を鞄等に入れて持ち運んでも、シートＳの天側がめくれて折れ曲がったりすることがなく、シートＳを確実に且つ綺麗な状態で保管することができる。
なお、保持部３（保持部正面板３１）は、必ずしも三角板状に形成する必要はなく、例えば図１（ｄ）に示すように、帯状に形成することも可能であり、この場合にはこの帯にシートＳの右隅を差し込んで、シートＳの保持（めくれ防止）を図るものである。この場合、保持部３を構成する保持部正面板３１は、細長い等脚台形状に形成される。
【００２５】
次に、しおり４について説明する。
しおり４は、上述したようにポケット部２に収容した複数のシートＳの間（露出部の間）に挟むものであり、例えば幾つかの異なる種類のシート群を種類毎に区切るように、その境目に挟み込むものである。
これにより、一つのシート用ファイル１であっても、クリップや付箋等を用いることなく、異なる種類のシート群の区分けが確実に且つ容易に行えるものである。もちろん、ファイリングと同時に、このような種類毎の区分けが確実に成されるため、必要なシート群をシート用ファイル１シートから容易に且つ迅速に取り出すこともできる。
【００２６】
このようなしおり４の形成にあたっては、一例として図２に示すように、ファイル基材２１の外側に、このものと一体で平面展開状に形成しておくことが可能であり、ここをしおり形成板４０とする。そして、このしおり形成板４０を、ファイル基材２１の左辺を折れ線としてファイル基材２１に重ねるように折り返すことで、シートＳの間に挟み込み得るしおり４を形成する。
因みに、上記図２では、ポケット部正面板２２や保持部正面板３１についても同じように、ファイル基材２１と一体で平面展開状に形成してあり、ファイル基材２１の各辺を折れ線としてファイル基材２１に重ねるように折り返すことでポケット部２や保持部３を形成するように示している。このように、ファイル基材２１、ポケット部正面板２２、保持部正面板３１、しおり４は、全てつながった一枚のブランク板材から形成することができる。
【００２７】
なお、本実施例では四枚（四片）のしおり４１〜４４を具えるように説明したが、必ずしも最初からしおり４を四つに切り離しておく必要はなく、例えば商品形態としては、市場に提供する当初の段階では、何も切り離さず（言わば四枚分で大きな一枚のしおり４として提供）、商品購入後、ユーザの使い勝手によって、適宜の枚数のしおり４に分断するような商品形態も可能である。
因みに、四枚のしおり４を使って複数組のシート群を区切る場合には、五種類のシート群を分けてファイリングすることができ、この場合、予め使用するシート群が最も上方となるように、順時、各シート群をポケット部２に収容しておくことが好ましい。
【００２８】
また、四枚のしおり４１〜４４の挟み方としては、ポケット部２から最も遠い天側のしおり４１を、最も下方に位置させるようにし、以下、順次、この順番でしおり４２〜４４が上方になるように挟んで行くと、上記のように上方に位置したシート群から順次取り出す態様が極めて採り易い。
もちろん、上記のようにシート群やしおり４をセットした場合であっても、途中位置に収容したシート群を最初に取り出すこともあり得、その場合には、シート群の境界にしおり４が挟んであるため、このしおり４がインデックス作用を担い、目的のシート群を容易に且つ素早く抜き取ることができる。
なお、しおり４の使い方としては、全く同じ書類を同一枚数ずつ区切るようにシートＳに挟むことも可能である。
また、ファイル基材２１、ポケット部正面板２２、保持部正面板３１、しおり形成板４０の素材としては、比較的高い剛性を有した硬質の紙（例えばボール紙）等が適用されるが、この他にも、従来のクリアファイルに使用されている合成樹脂製の板材等の適用が可能である。
【００２９】
次に、ポケット部正面板２２や保持部正面板３１に施す縁接合（ファイル基板２１との縁接合）について説明する。
例えばポケット部２の形成にあたっては、上述したようにポケット部正面板２２の開口縁２２１以外の縁をファイル基板２１と縁接合するものである。この場合、例えばポケット部正面板２２が、上記図２に示すように、ファイル基材２１と一体で平面展開状に形成されていれば、ポケット部正面板２２とファイル基材２１との折り返し縁は、もともとつながっているため、ポケット部正面板２２は、ポケット底部に当たる下辺２２２と、折り返し縁に対向する短辺２２３（ここでは接合後の右辺であり、台形としての上底に相当）とをファイル基材２１に縁接合するものである。なお、この縁接合においては、糸による縫製が可能であり、特に、本実施例では縫い目（針目）を外観目視させる、いわゆるステッチ縫製が採用される。因みに、このステッチ用の糸として、例えばファイル基材２１の色と対照的な色の糸を選択すれば、縫製後のステッチＴがシート用ファイル１の縁飾りとしてのアクセントになり、シート用ファイル１の全体的な印象を際立たせるものとなる（高級感を演出することができる）。
もちろん、このようなステッチＴにデザイン的な意図を持たせる場合には、ポケット部正面板２２の折り返し辺２２４（ここでは重ね合わせ後の左辺であり、台形としての下底に相当）にもステッチＴを形成することが可能である（図３参照）。
なお、ステッチ縫製以外の縁接合としては、接着剤を使用した接合が挙げられる。また、特にファイル基材２１やポケット部正面板２２を合成樹脂製の板材で形成した場合には、素材同士を熱等で溶かして接合する溶着等も採用できる。
【００３０】
また、保持部正面板３１についても上述したように、ファイル基材２１と一体で平面展開状に形成することができ、この場合には、保持部正面板３１とファイル基材２１との折り返し縁が、もともとつながっているため、ここに縁接合を施す必要はない。しかしながら、この折り返し縁は寸法が短く、またデザイン的な意図を重視して、本実施例では保持部３の右縁と上縁とにステッチＴによる縁接合を施している（図１参照）。
【００３１】
なお、ポケット部正面板２２や保持部正面板３１は、必ずしもファイル基材２１と一体で形成しておく必要はなく、例えば図３に示すように、ファイル基材２１とは別途独立して形成しておくことが可能である。この場合、縁接合は、基本的にポケット部正面板２２や保持部正面板３１の開口縁２２１、３１１以外の縁に施される。
また、ポケット部正面板２２や保持部正面板３１をファイル基材２１とは別体で形成した場合には、ポケット部正面板２２や保持部正面板３１は、ファイル基材２１と異なった素材で形成することが可能であるし、更にはポケット部正面板２２と保持部正面板３１との各々を、それぞれ異なった素材で形成することも可能である。
【００３２】
また、上記図１・図２では、しおり４は、ファイル基材２１の左辺天側に一体に設けていた。すなわち、当初、しおり形成板４０をファイル基材２１の左辺天側から外方に、はみ出すように形成しておき、これをシート収容側に折り返してしおり４を形成するものであった。
しかしながら、しおり４は、必ずしもファイル基材２１の左辺に形成する必要はなく、例えば図３に仮想線で示すようにファイル基材２１の上辺に形成することも可能である（ここでは保持部３の存在しない上辺左側に設けた）。この場合、しおり形成板４０は、当初、ファイル基材２１の外方天側に、はみ出すように形成され、これをシート収容側（地側）に折り返して、完成状態のしおり４（シートＳに挟むことができるしおり４）を得るものである。
なお、しおり形成板４０についても、上記ポケット部正面板２２や保持部正面板３１と同様に、予めファイル基材２１とは別に分離独立して形成しておき、ファイル基材２１に対して一辺（後述の接続縁４６が該当）のみ縁接合して止め付けることが可能である。
【００３３】
本発明のシート用ファイル１は、以上のような基本構造を有するものであり、以下、このシート用ファイル１を適用したシートＳのファイリング態様について説明する。
なお、説明にあたっては、種類の異なる複数組のシート群を一つのシート用ファイル１に、種類毎に区切って収容するものとして説明する。また、例えば一種類の書類は２〜３枚程度の紙面から成り、計５種類のシート群を収容するものとし、これらシート群に「ＳＡ」、「ＳＢ」、「ＳＣ」、「ＳＤ」、「ＳＥ」の符号を付すものである。
【００３４】
まず、最初に全てのしおり４をファイル基材２１の外方にめくっておく。
この状態で、例えば図１（ｂ）・（ｃ）に示すように、シート群ＳＡをポケット部２に収容する。その後、当該シート群ＳＡの右隅を保持部３に差し込んで保持する。この状態でシート群ＳＡは地側がポケット部２に収容されるとともに、天側（より詳細にはポケット部２の開口縁２２１に対向する右コーナ部）が保持部３に差し込み保持されるため、天地左右どの方向へも抜け止めが図られた状態となる。次いで、四枚のしおり４のうち、最も天側のしおり４１を当該シート群ＳＡの上に載せるようにする。
その後、このシート群ＳＡの上方に重ねるように、シート群ＳＢをポケット部２に収容し、次いで当該シート群ＳＢの右隅を保持部３に差し込んで保持する。この状態で、シート群ＳＢも天地左右どの方向へも抜け止めが図られた状態となる。また、この状態で最も天側のしおり４１は、シート群ＳＡとシート群ＳＢとの間に挟まれた状態となり、これら両シート群ＳＡ・ＳＢを区切る仕切り作用を担う。その後、最も天側から二番目のしおり４２をシート群ＳＢの上に載せるようにする。
その後、同様に、シート群ＳＣ、ＳＤ、ＳＥを順次、ポケット部２及び保持部３に収容して行くものであり、これにより、しおり４２はシート群ＳＢとシート群ＳＣとの間に挟まれ、これらを区切るような仕切り作用を担う。また、しおり４３はシート群ＳＣとシート群ＳＤとの間に挟まれ、これらを区切るような仕切り作用を担う。更に、しおり４４はシート群ＳＤとシート群ＳＥとの間に挟まれ、これらを区切るような仕切り作用を担う。なお、ここではシート群ＳＥの上には、特にしおり４が存在しないものである。
【００３５】
そして、シート用ファイル１に収容したシート群を取り出すにあたっては、上述したように、各しおり４１〜４４で区切りながらポケット部２に収容したシート群のうち、もっとも上方のもの（ここではシート群ＳＥ）から取り出して行くことが好ましく、このため、予め最初に取り出すものをシート群ＳＥとしておくものである。もちろん、場合によっては、複数のシート群の途中、例えばシート群ＳＣを最初に取り出す事態も起こり得るが、その場合であっても、シート群ＳＣを区切るように挟み込まれたしおり４２・４３がインデックスとなるため、目的のシート群ＳＣを迅速に且つ容易に取り出すことができる。
因みに、ファイル基材２１の上辺にしおり４を設けた場合においても（図３の仮想線参照）、例えば最も左側のしおり４から右側のしおり４にかけて、順番に上方または下方に位置するようにしおり４を挟み込んで行くことが好ましい（その後の、シート群の取り出しが迅速に且つ容易に行える）。
なお、上記図１（ｃ）は、各シート群ＳＡ〜ＳＥと、各しおり４１〜４４との関係を分かり易くすべく、模式的に示したものであり、実際の状況とは異なるものである。具体的には、例えばファイル基材２１に対する各シート群ＳＡ〜ＳＥの厚み寸法が実際とは異なり、また各しおり４１〜４４を挟む各シート群ＳＡ〜ＳＥは、しおり４の厚み寸法を維持して平行に示したが、これも現実とは相違する。
【００３６】
〔他の実施例〕
本発明は以上述べた実施例を一つの基本的な技術思想とするものであるが、更に次のような改変が考えられる。
まず、上述した基本の実施例では、しおり形成板４０は、ファイル基材２１から、はみ出して形成していたが、例えば図４に示すように、ファイル基材２１の一部を使って形成することが可能であり、ここではファイル基材２１を部分的に切り抜いて四枚のしおり４１〜４４を形成する様子を示している。
この際、例えば一枚のしおり４（しおり形成板４０）に対して、三辺のみ切り込みを入れ、残りの一辺はファイル基材２１と接続させておくだけで（ここを接続縁４６とする）、シートＳに挟み込み可能なしおり４を形成することができる。
なお、この場合、しおり４を一枚ずつ分離し易くするため、あるいはファイル基材２１の強度を確保するために、図示のように、各しおり４の間にはファイル基材２１の一部を残し、非切り抜き状の桟部分を残すことが好ましい。
また、この場合、ファイル基材２１の左側端縁には、上記接続縁４６を獲得するためのスペースを確保する必要があり、このため上記図４に示すように、ファイル基材２１自体が、上記図１〜図３で示した実施例よりも左側外方に突出するようになる。このようなことから、図４の改変例では、この突出端縁２１ｅを利用して、複数のシート用ファイル１をまとめて綴じられるようにするためのパンチ孔２１ｈ（例えば天地二カ所）を開けておく形態が併せて採り得る。
【００３７】
また、先に述べた基本の実施例では、ポケット部２の開口縁２２１が右下がりの傾斜直線として形成されており、これは言わばフィイル基材２１の右側からシートＳを収容する態様であり、いわゆる右利き用のユーザを想定したものと言える。
これに対し、いわゆる左利きのユーザは、シートＳをフィイル基材２１に収容する際、フィイル基材２１の左側から入れる方が収容し易いため、このようなことを考慮して、ポケット部２の開口縁２２１を左下がりの傾斜直線とすることが可能である。なお、このようにした場合には、この開口縁２２１に対向する、フィイル基材２１の左上コーナ部に保持部３を形成し、フィイル基材２１の右上コーナ部付近（右辺天側等）に、しおり４を設ける構成が併せて採り得る。
【符号の説明】
【００３８】
１          シート用ファイル
２          ポケット部
３          保持部
４          しおり
２          ポケット部
２１        ファイル基材
２１ｅ      突出端縁
２１ｈ      パンチ孔
２２        ポケット部正面板
２２１      上辺（開口縁）
２２２      下辺
２２３      短辺（台形としての上底）
２２４      折り返し辺（台形としての下底）
３          保持部
３１        保持部正面板
３１１      開口縁
４          しおり
４０        しおり形成板
４１        しおり（天側）
４２        しおり  
４３        しおり
４４        しおり（地側）
４６        接続縁
Ｓ          シート（書類）
ＳＡ        シート群
ＳＢ        シート群
ＳＣ        シート群
ＳＤ        シート群
ＳＥ        シート群
Ｔ          ステッチ
Ｆ          クリアファイル
Ｗ          合成樹脂製シート
Ｗ１        表面シート
Ｗ２        背面シート
Ｉ          インデックス
【図１】
2018176511.tif 000003
【図２】
2018176511.tif 000004
【図３】
2018176511.tif 000005
【図４】
2018176511.tif 000006
【図５】
2018176511.tif 000007